(57)【要約】【課題】現像剤による装置の汚れを低減すること。【解決手段】現像剤を収容する現像剤収容室（６＋７＋９＋Ｅ１＋Ｅ２）と、現像剤保持体（Ｒ０）を収容する保持体収容部（４）と、像保持体（ＰＲｙ〜ＰＲｋ）と対向する現像領域（Ｑ２ｙ〜Ｑ２ｋ）に対応して形成された開口部（８）とを有する現像剤収容容器（Ｖ）と、円筒部材（１２）に沿って開口部（８）から円弧状に延びる円弧壁（２ｂ１）と、円弧壁（２ｂ１）の回転方向下流端に連続して形成され且つ円筒部材（１２）の外表面から離間する方向に延びる離間壁（２ｂ２）とを有する保持体収容部（４）と、円弧壁（２ｂ１）よりも回転方向下流側に配置された磁極（Ｓ２）を少なくとも有する磁石部材（１１）と、離間壁（２ｂ２）に支持された磁性体（１３）とを備えた現像装置（Ｇｙ〜Ｇｋ）。【選択図】図５
2010113210.tif 000002
【特許請求の範囲】
【請求項１】
回転不能に固定支持された円柱状の磁石部材と、前記磁石部材の外周に回転可能に支持され且つ現像剤を表面に保持した状態で回転する円筒状の円筒部材と、を有する現像剤保持体と、
前記現像剤を収容する現像剤収容室と、前記現像剤保持体を収容する保持体収容部と、静電潜像が形成された像保持体と対向する現像領域に対応して前記保持体収容部に形成された開口部と、を有する現像剤収容容器と、
前記円筒部材に沿って前記開口部から前記円筒部材の回転方向下流側に円弧状に延びる円弧壁と、前記円弧壁の回転方向下流端に連続して形成され且つ前記円筒部材の外表面から離間する方向に延びる離間壁と、を有する前記保持体収容部と、
前記円弧壁よりも回転方向下流側に配置された磁極を少なくとも有する前記磁石部材と、
前記離間壁に支持された磁性体と、
を備えたことを特徴とする現像装置。
【請求項２】
回転不能に固定支持された円柱状の磁石部材と、前記磁石部材の外周に回転可能に支持され且つ現像剤を表面に保持した状態で回転する円筒状の円筒部材と、を有する現像剤保持体と、
前記現像剤を収容する現像剤収容室と、前記現像剤保持体を収容する保持体収容部と、静電潜像が形成された像保持体と対向する現像領域に対応して前記保持体収容部に形成された開口部と、を有する現像剤収容容器と、
前記円筒部材に沿って前記開口部から前記円筒部材の回転方向下流側に円弧状に延びる円弧壁と、前記円弧壁の回転方向下流端に連続して形成され且つ前記円筒部材の外表面から離間する方向に延びる離間壁と、を有する前記保持体収容部と、
前記円弧壁よりも回転方向下流側に配置された磁極を少なくとも有する前記磁石部材と、
磁性体によって構成された前記離間壁と、
を備えたことを特徴とする現像装置。
【請求項３】
前記現像剤保持体に隣り合って回転可能に支持され、回転中心が前記現像剤保持体の軸方向に沿って延び且つ前記回転中心を通過する垂線が前記現像剤保持体の回転中心と前記磁性体との間を通過するように配置され、前記現像剤を攪拌する攪拌部材と、
前記保持体収容部に隣り合って配置され、前記攪拌部材を収容する攪拌部材収容室を有する前記現像剤収容室と、
を備えたことを特徴とする請求項１または２に記載の現像装置。
【請求項４】
前記回転中心から前記現像剤保持体側において、重力方向下方から上方に進む方向に回転する前記攪拌部材、
を備えたことを特徴とする請求項３に記載の現像装置。
【請求項５】
前記保持体収容部に隣り合って配置された第１搬送部材収容部と、前記第１攪拌部材収容部に隣り合って配置された第２搬送部材収容部と、前記第１搬送部材収容部と前記第２搬送部材収容部との間に配置され且つ前記現像剤保持体の軸方向に沿って延びる仕切壁と、前記仕切壁の軸方向両端の外方に配置され且つ一方の搬送部材収容部から他方の搬送部材収容部に前記現像剤を流入させる流入部と、を有する前記現像剤収容室と、
前記第１搬送部材収容部に収容され且つ回転可能に支持され、回転中心が前記現像剤保持体の軸方向に沿って延び、前記現像剤を攪拌しながら搬送する第１搬送部材と、
前記第２搬送部材収容室に収容され且つ回転可能に支持され、回転中心が前記第１搬送部材の軸方向に沿って延び、前記現像剤を攪拌しながら前記第１搬送部材の現像剤搬送方向の逆方向に搬送する第２搬送部材と、
前記仕切壁を通過する垂線が前記現像剤保持体の回転中心と前記磁性体との間を通過するように配置された前記現像剤収容室と、
を備えたことを特徴とする請求項１または２に記載の現像装置。
【請求項６】
表面に潜像が形成される像保持体と、
前記像保持体表面の潜像を可視像に現像する請求項１ないし５のいずれかに記載の現像装置と、
を備えたことを特徴とする像保持体ユニット。
【請求項７】
表面に潜像が形成される像保持体と、
前記像保持体表面の潜像を可視像に現像する請求項１ないし５のいずれかに記載の現像装置と、
前記像保持体表面の可視像を媒体に転写する転写器と、
前記媒体表面の可視像を定着させる定着装置と、
を備えたことを特徴とする画像形成装置。
【発明の詳細な説明】
【技術分野】
【０００１】
本発明は、現像装置、像保持体ユニットおよび画像形成装置に関する。
【背景技術】
【０００２】
従来、電子写真方式の複写機やプリンタ等の画像形成装置では、感光体表面に形成された潜像を現像装置で現像し、現像された可視像を媒体に転写、定着することで画像形成を行っている。前記現像装置に関して、以下の特許文献１に記載の技術が従来公知である。
【０００３】
特許文献１としての特開２０００−１６２８６９号公報には、現像剤が収容された現像容器（３０）と、前記現像容器（３０）内の開口部近傍に配置され、感光ドラム（１）表面に形成された潜像を現像する現像剤を保持する現像ローラ（３１＋３２）を有する現像装置（３）についての技術が記載されている。
特許文献１では、前記現像ローラ（３１＋３２）は、内部の磁石ローラ（３２）と、前記磁石ローラ（３２）の外方に回転可能に支持されたスリーブ（３１）とを有している。
また、特許文献１では、前記スリーブ（３１）の回転方向に対して開口部の下流側に、前記スリーブ（３１）の取り込み極（Ｎ１）が配置されており、前記取り込み極（Ｎ１）に対向して磁石シール部材（３４）が前記現像容器（３０）内面に支持されている。
【０００４】
したがって、特許文献１では、前記取り込み極（Ｎ１）と前記磁石シール部材（３４）との間には、前記スリーブ（３１）と前記現像容器（３０）との隙間で、前記磁石シール部材（３４）から前記取り込み極（Ｎ１）に直線状に延びる磁力線や、前記現像容器（３０）を透過して前記現像容器（３０）の開口側の外方から回り込んで前記取り込み極（Ｎ１）に延びる磁力線を含む磁界により、前記スリーブ（３１）表面に保持された現像後の残存磁性現像剤（Ｔ）を前記現像容器（３０）の内側に案内して、前記残存磁性現像剤（Ｔ）が前記現像容器（３０）外方に漏れたり飛散したりすることを防止する技術が記載されている。
【０００５】
【特許文献１】特開２０００−１６２８６９号公報（要約書、「００５５」〜「００６８」、図２〜図４）
【発明の開示】
【発明が解決しようとする課題】
【０００６】
本発明は、現像剤による装置の汚れを低減することを技術的課題とする。
【課題を解決するための手段】
【０００７】
前記技術的課題を解決するために、請求項１記載の発明の現像装置は、
回転不能に固定支持された円柱状の磁石部材と、前記磁石部材の外周に回転可能に支持され且つ現像剤を表面に保持した状態で回転する円筒状の円筒部材と、を有する現像剤保持体と、
前記現像剤を収容する現像剤収容室と、前記現像剤保持体を収容する保持体収容部と、静電潜像が形成された像保持体と対向する現像領域に対応して前記保持体収容部に形成された開口部と、を有する現像剤収容容器と、
前記円筒部材に沿って前記開口部から前記円筒部材の回転方向下流側に円弧状に延びる円弧壁と、前記円弧壁の回転方向下流端に連続して形成され且つ前記円筒部材の外表面から離間する方向に延びる離間壁と、を有する前記保持体収容部と、
前記円弧壁よりも回転方向下流側に配置された磁極を少なくとも有する前記磁石部材と、
前記離間壁に支持された磁性体と、
を備えたことを特徴とする。
【０００８】
前記技術的課題を解決するために、請求項２記載の発明の現像装置は、
回転不能に固定支持された円柱状の磁石部材と、前記磁石部材の外周に回転可能に支持され且つ現像剤を表面に保持した状態で回転する円筒状の円筒部材と、を有する現像剤保持体と、
前記現像剤を収容する現像剤収容室と、前記現像剤保持体を収容する保持体収容部と、静電潜像が形成された像保持体と対向する現像領域に対応して前記保持体収容部に形成された開口部と、を有する現像剤収容容器と、
前記円筒部材に沿って前記開口部から前記円筒部材の回転方向下流側に円弧状に延びる円弧壁と、前記円弧壁の回転方向下流端に連続して形成され且つ前記円筒部材の外表面から離間する方向に延びる離間壁と、を有する前記保持体収容部と、
前記円弧壁よりも回転方向下流側に配置された磁極を少なくとも有する前記磁石部材と、
磁性体によって構成された前記離間壁と、
を備えたことを特徴とする。
【０００９】
請求項３に記載の発明は、請求項１または２に記載の現像装置において、
前記現像剤保持体に隣り合って回転可能に支持され、回転中心が前記現像剤保持体の軸方向に沿って延び且つ前記回転中心を通過する垂線が前記現像剤保持体の回転中心と前記磁性体との間を通過するように配置され、前記現像剤を攪拌する攪拌部材と、
前記保持体収容部に隣り合って配置され、前記攪拌部材を収容する攪拌部材収容室を有する前記現像剤収容室と、
を備えたことを特徴とする。
【００１０】
請求項４に記載の発明は、請求項３に記載の現像装置において、
前記回転中心から前記現像剤保持体側において、重力方向下方から上方に進む方向に回転する前記攪拌部材、
を備えたことを特徴とする。
【００１１】
請求項５に記載の発明は、請求項１または２に記載の現像装置において、
前記保持体収容部に隣り合って配置された第１搬送部材収容部と、前記第１攪拌部材収容部に隣り合って配置された第２搬送部材収容部と、前記第１搬送部材収容部と前記第２搬送部材収容部との間に配置され且つ前記現像剤保持体の軸方向に沿って延びる仕切壁と、前記仕切壁の軸方向両端の外方に配置され且つ一方の搬送部材収容部から他方の搬送部材収容部に前記現像剤を流入させる流入部と、を有する前記現像剤収容室と、
前記第１搬送部材収容部に収容され且つ回転可能に支持され、回転中心が前記現像剤保持体の軸方向に沿って延び、前記現像剤を攪拌しながら搬送する第１搬送部材と、
前記第２搬送部材収容室に収容され且つ回転可能に支持され、回転中心が前記第１搬送部材の軸方向に沿って延び、前記現像剤を攪拌しながら前記第１搬送部材の現像剤搬送方向の逆方向に搬送する第２搬送部材と、
前記仕切壁を通過する垂線が前記現像剤保持体の回転中心と前記磁性体との間を通過するように配置された前記現像剤収容室と、
を備えたことを特徴とする。
【００１２】
前記技術的課題を解決するために、請求項６記載の発明の像保持体ユニットは、
表面に潜像が形成される像保持体と、
前記像保持体表面の潜像を可視像に現像する請求項１ないし５のいずれかに記載の現像装置と、
を備えたことを特徴とする。
【００１３】
前記技術的課題を解決するために、請求項７記載の発明の画像形成装置は、
表面に潜像が形成される像保持体と、
前記像保持体表面の潜像を可視像に現像する請求項１ないし５のいずれかに記載の現像装置と、
前記像保持体表面の可視像を媒体に転写する転写器と、
前記媒体表面の可視像を定着させる定着装置と、
を備えたことを特徴とする。
【発明の効果】
【００１４】
請求項１、２、６、７に記載の発明によれば、本発明の構成を有しない場合に比べ、現像剤による装置の汚れを低減することができる。
【００１５】
請求項３に記載の発明によれば、本発明の構成を有しない場合に比べ、前記円筒部材表面上から剥離された前記現像剤が、十分攪拌される前に、前記円筒部材表面上に再び保持されることが低減できる。
請求項４、５に記載の発明によれば、本発明の構成を有しない場合に比べ、前記円筒部材表面上から剥離された前記現像剤が、十分攪拌された後に、前記円筒部材表面上に再び保持され易くすることができる。
【発明を実施するための最良の形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は本発明の実施例１の画像形成装置の全体説明図である。
図２は本発明の実施例１の像保持体ユニットの要部拡大図である。
図１、図２において、実施例１の画像形成装置Ｕは、着脱自在に装着される自動原稿搬送装置Ｕ１と、前記自動原稿搬送装置Ｕ１を支持し且つ上端に透明な原稿台の一例としてのプラテンガラスＰＧを有する画像形成装置本体の一例としての複写機Ｕ２とを備えている。
前記自動原稿搬送装置Ｕ１は、複写しようとする複数の原稿Ｇｉが重ねて載置される原稿供給部の一例としての原稿給紙トレイＴＧ１と、前記原稿給紙トレイＴＧ１から前記プラテンガラスＰＧ上の原稿読取位置、いわゆる、複写位置を通過して搬送される原稿Ｇｉが排出される原稿排紙部の一例としての原稿排紙トレイＴＧ２とを有している。
前記画像形成装置本体Ｕ２は、使用者の一例としてのユーザが画像形成動作開始の一例としてのコピースタート等の作動指令信号を入力操作する操作部ＵＩ、いわゆる、ユーザインタフェースと、露光光学系Ａ等を有している。
【００１８】
前記自動原稿搬送装置Ｕ２でプラテンガラスＰＧ上を搬送される原稿または手動でプラテンガラスＰＧ上に置かれた図示しない原稿からの反射光は、前記露光光学系Ａを介して、固体撮像素子ＣＣＤで、Ｒ：赤、Ｇ：緑、Ｂ：青の電気信号に変換される。また、画像処理部ＩＰＳは、前記固体撮像素子ＣＣＤから入力される前記Ｒ，Ｇ，Ｂの電気信号を、Ｋ：黒、Ｙ：イエロー、Ｍ：マゼンタ、Ｃ：シアンの画像情報の一例としての画像データに変換して一時的に記憶し、前記画像データを予め設定された時期、いわゆる、タイミングで潜像形成用の画像データとして、潜像書込光駆動回路の一例としてのレーザ駆動回路ＤＬに出力する。
なお、原稿画像がモノクロの場合は、Ｋ：黒のみの画像データが前記レーザ駆動回路ＤＬに入力される。
前記レーザ駆動回路ＤＬは、各色Ｙ，Ｍ，Ｃ，Ｋの図示しない各レーザ駆動回路を有し、入力された画像データに応じた潜像書込光駆動信号の一例としてのレーザ駆動信号を予め設定されたタイミングで、潜像形成光学系ＲＯＳの各色の図示しない潜像書込装置の一例としての潜像書込用レーザダイオードに出力する。
【００１９】
前記潜像形成光学系ＲＯＳの上方に配置された図２に示す像保持体ユニットの一例としてのトナー像形成装置Ｕｙ，Ｕｍ，Ｕｃ，Ｕｋは、それぞれ、Ｙ：イエロー、Ｍ：マゼンタ、Ｃ：シアン、およびＫ：黒の各色の可視像の一例としてのトナー像を形成する装置である。
前記潜像形成光学系ＲＯＳの図示しない各レーザダイオードから出射したＹ，Ｍ，Ｃ，Ｋの潜像書込光の一例としてのレーザビームＬｙ，Ｌｍ，Ｌｃ，Ｌｋは、それぞれ、回転する像保持体ＰＲｙ，ＰＲｍ，ＰＲｃ，ＰＲｋに入射する。
前記Ｙのトナー像形成装置Ｕｙは、回転する像保持体ＰＲｙ、帯電器の一例としての帯電ロールＣＲｙ、現像装置Ｇｙ、１次転写部材の一例としての１次転写ロールＴ１ｙ、像保持体用清掃部材の一例としての像保持体クリーナＣＬｙを有しており、前記他色のトナー像形成装置Ｕｍ，Ｕｃ，Ｕｋは、いずれも前記Ｙのトナー像形成装置Ｕｙと同様に構成されている。
【００２０】
前記各像保持体ＰＲｙ〜ＰＲｋは、それぞれの帯電ロールＣＲｙ，ＣＲｍ，ＣＲｃ，ＣＲｋにより一様に帯電された後、画像書込位置Ｑ１ｙ，Ｑ１ｍ，Ｑ１ｃ，Ｑ１ｋにおいて、前記レーザビームＬｙ〜Ｌｋにより、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて現像装置Ｇｙ，Ｇｍ，Ｇｃ，Ｇｋによりトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ〜Ｑ３ｋにおいて中間転写ベルトＢの裏面側に配置された１次転写ロールＴ１ｙ，Ｔ１ｍ，Ｔ１ｃ，Ｔ１ｋには、制御部の一例としてのコントローラＣにより制御される電源回路Ｅから予め設定されたタイミングで現像剤の帯電極性と逆極性の１次転写電圧が印加される。
前記各像保持体ＰＲｙ〜ＰＲｋ上のトナー像は、前記１次転写ロールＴ１ｙ〜Ｔ１ｋにより中間転写ベルトＢに１次転写される。１次転写後の像保持体ＰＲｙ〜ＰＲｋ表面の残留現像剤の一例としての残留トナーは、像保持体クリーナＣＬｙ〜ＣＬｋにより清掃除去、すなわち、クリーニングされる。
【００２１】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、前記中間転写ベルトＢと、張力付与部材の一例としてのテンションロールＲｔ、蛇行防止部材の一例としてのウォーキングロールＲｗ、従動部材の一例としてのアイドラロールＲｆ、いわゆる、フリーロールおよび駆動部材の一例としての駆動ロール兼用の二次転写駆動部材の一例としてのバックアップロールＴ２ａを含む中間転写体搬送装置の一例としてのベルト支持ロール（Ｒｔ，Ｒｗ，Ｒｆ，Ｔ２ａ）と、前記１次転写ロールＴ１ｙ〜Ｔ１ｋとを有している。すなわち、前記中間転写ベルトＢは、前記ベルト支持ロール（Ｒｔ，Ｒｗ，Ｒｆ，Ｔ２ａ）により回転移動可能に支持されている。
【００２２】
前記バックアップロールＴ２ａに接する中間転写ベルトＢの表面に対向して２次転写従動部材の一例としての２次転写ロールＴ２ｂが配置されており、前記各ロールＴ２ａ，Ｔ２ｂにより２次転写器Ｔ２が構成されている。また、２次転写ロールＴ２ｂおよび中間転写ベルトＢの対向する領域には２次転写領域Ｑ４が形成される。
前記１次転写ロールＴ１ｙ〜Ｔ１ｋ、前記２次転写器Ｔ２等により転写器（Ｔ１ｙ〜Ｔ１ｋ，Ｔ２）が構成されている。
前記１次転写領域Ｑ３ｙ〜Ｑ３ｋで１次転写ロールＴ１ｙ〜Ｔ１ｋにより中間転写ベルトＢ上に順次重ねて転写されたカラートナー像は、前記２次転写領域Ｑ４に搬送される。
【００２３】
前記潜像形成光学系ＲＯＳの下方には、複数の媒体供給部の一例としての給紙トレイＴＲ１〜ＴＲ３を前後方向に出入可能に支持する左右一対の案内部材の一例としてのガイドレールＧＲ、ＧＲが３段設けられている。給紙トレイＴＲ１〜ＴＲ３の媒体の一例としての記録シートＳは、媒体取出部材の一例としてのピックアップロールＲｐにより取り出され、媒体分離部材の一例としてのさばきロールＲｓにより１枚ずつ分離れてから複数の媒体搬送部材の一例としてのシート搬送ロールＲａにより媒体調節部材の一例としてのレジロールＲｒに送られる。前記シート搬送ロールＲａは、媒体案内部材の一例としてのシートガイドにより形成された媒体搬送路の一例としてのシート搬送路ＳＨに沿って複数設けられており、２次転写領域Ｑ４のシート搬送方向上流側には前記レジロールＲｒが配置されている。前記シート搬送路ＳＨ、前記シート搬送ロールＲａ、前記レジロールＲｒ等によりシート搬送装置（ＳＨ＋Ｒａ＋Ｒｒ）が構成されている。
【００２４】
前記レジロールＲｒは、前記中間転写ベルトＢに形成されたカラートナー像が２次転写領域Ｑ４に搬送されるのにタイミングを合わせて、前記記録シートＳを２次転写領域Ｑ４に搬送する。記録シートＳが前記２次転写領域Ｑ４を通過する際、前記バックアップロールＴ２ａは、接地、すなわち、アースされ、２次転写ロールＴ２ｂには前記コントローラＣにより制御される電源回路Ｅから予め設定されたタイミングでトナーの帯電極性と逆極性の２次転写電圧が印加される。このとき、前記中間転写ベルトＢ上のカラートナー像は、前記２次転写器Ｔ２により前記記録シートＳに転写される。
２次転写後の前記中間転写ベルトＢは、中間転写体用清掃部材の一例としてのベルトクリーナＣＬｂによりクリーニングされる。
【００２５】
前記トナー像が２次転写された記録シートＳは、定着装置Ｆの加熱部材の一例としての加熱ロールＦｈおよび加圧部材の一例としての加圧ロールＦｐの圧接領域である定着領域Ｑ５に搬送され、前記定領域を通過する際に加熱定着された後、媒体排出部材の一例としての排出ローラＲｈから媒体排出部の一例としての排紙トレーＴＲｈに排出される。
なお、前記加熱ロールＦｈ表面には、記録シートＳの前記加熱ロールからの離型性を良くするための離型剤が離型剤塗布装置Ｆａにより塗布されている。
前記ベルトモジュールＢＭの上方には、Ｙ：イエロー、Ｍ：マゼンタ、Ｃ：シアン、およびＫ：黒の各現像剤を収容する現像剤補給容器の一例としての現像剤カセットＫｙ，Ｋｍ，Ｋｃ，Ｋｋが配置されている。前記各現像剤カセットＫｙ〜Ｋｋに収容されたトナーは、前記現像装置Ｇｙ〜Ｇｋのトナーの消費に応じて、図示しない現像剤補給路から前記各現像装置Ｇｙ〜Ｇｋに補給される。
【００２６】
図１において、前記画像形成装置Ｕは、上側枠体の一例としての上側フレームＵＦと下側枠体の一例としての下側フレームＬＦとを有しており、前記上側フレームＵＦには、前記潜像形成光学系ＲＯＳおよび前記潜像形成光学系ＲＯＳよりも上方に配置された部材、すなわち、像保持体ＰＲｙ〜ＰＲｋ、現像装置Ｇｙ〜Ｇｋ、ベルトモジュールＢＭ等が支持されている。
また、前記下側フレームＬＦには、前記給紙トレイＴＲ１〜ＴＲ３を支持するガイドレールＧＲおよび前記各トレイＴＲ１〜ＴＲ３から給紙を行う前記ピックアップロールＲｐ，前記さばきロールＲｓ，前記シート搬送ロールＲａ等が支持されている。
【００２７】
（現像装置Ｇｙ〜Ｇｋの説明）
図３は本発明の実施例１の現像装置の拡大説明図であり、図３Ａは現像装置内部の拡大断面図であり、図３Ｂは現像装置外部のギアの噛み合いについての拡大断面図である。
図４は本発明の実施例１の現像装置の正断面説明図であり、図４Ａは図３ＡのＩＶＡ−ＩＶＡ線断面図、図４Ｂは図４ＡのＩＶＢ−ＩＶＢ線断面図である。
なお、前記現像装置Ｇｙ，Ｇｍ，Ｇｃ，Ｇｋは同様の構成であるため、以下、Ｙ色の現像装置Ｇｙに関して説明し、その他の各色の現像装置Ｇｍ，Ｇｃ，Ｇｋに関する説明を省略する。
【００２８】
図３Ａ、図４において、前記現像領域Ｑ２ｙで像保持体ＰＲに対向して配置された現像装置Ｇｙは、負極性に帯電するトナー及び正極性に帯電する磁性キャリアとからなる２成分現像剤を収容する現像剤収容容器の一例としての現像容器Ｖを有している。前記現像容器Ｖは、現像容器本体１とその上端を塞ぐ現像剤閉塞部材の一例としての現像容器カバー２とを有している。前記現像容器本体１の前端には、図４に示すように、前方に突出する前方突出部３が一体成形されている。図４において、前記現像容器本体１の前壁１ａ、後壁１ｂには、前後方向、すなわち、前記現像装置Ｇｙの長手方向に伸びて、後述する現像ロールＲ０表面の現像剤の層厚を規制するための層厚規制部材ＳＫの両端部が螺子部材の一例としてのネジで固定されている。また、前記現像容器本体１の像保持体ＰＲｙ側の外壁には、前記現像装置Ｇｙの長手方向に伸び且つ可撓性を有する上流側シールＪｓが設けられている。
【００２９】
図３Ａにおいて、実施例１の前記現像容器本体１内側には、前記現像剤を保持する現像剤保持体の一例としての現像ロールＲ０を収容する保持体収容部の一例としての現像ロール室４と、前記現像ロール室４に隣接する攪拌部材収容室、第１搬送部材収容部の一例としての第１攪拌室６と、前記第１攪拌室６に隣接する第２搬送部材収容部の一例としての第２攪拌室７と、前記現像領域Ｑ２ｙに対応して前記現像ロール室４に形成された開口部８とを有している。
また、実施例１の前記現像容器カバー２は、前記第２攪拌室７上に配置される上壁２ａと、前記上壁２ａの左端部から伸びて前記現像ロール室４を形成する保持体収容壁の一例としてのロール収容壁２ｂと、前記上壁２ａの右部から下方に伸びて前記現像容器本体１の内壁に嵌合する嵌合部２ｃとを有している。また、前記ロール収容壁２ｂは、断面円弧状の円弧壁２ｂ１及び平板状の離隔壁２ｂ２とを有している。なお、実施例１の前記円弧壁２ｂ１は、前記現像ロールＲ０に沿って前記開口部８から前記現像ロールＲ０の回転方向下流側である右方に円弧状に形成されている。また、実施例１の前記離隔壁２ｂ２は、前記円弧壁２ｂ１の回転方向下流端に連続して形成され且つ前記現像ロールＲ０の外表面から離間する斜め下方向に傾斜して形成されている。
【００３０】
図３Ａ、図４において、前記第１攪拌室６は、現像容器本体１側の第１主攪拌室６ａと前方突出部３の左部３ａ側の排出室６ｂとを有している。また、前記第２攪拌室７は、現像容器本体１側の第２主攪拌室７ａと前記前方突出部３の右部３ｂ側の補給室７ｂとを有している。前記現像容器本体１の内側で前記第１攪拌室６と第２攪拌室７との間には、前記第１主攪拌室６ａおよび第２主攪拌室７ａの両端部以外の部分が仕切壁９によって仕切られている。すなわち、前記各主攪拌室６ａ，７ａは、その前後方向両端部の前側流入部Ｅ１および後側流入部Ｅ２を介して接続されている。
前記第１攪拌室６、前記第２攪拌室７、前記仕切壁９、前記各流入部Ｅ１，Ｅ２等によって現像剤収容室の一例としての循環攪拌室（６＋７＋９＋Ｅ１＋Ｅ２）が構成されている。
【００３１】
また、図４において、前記前側接続部材３の左部３ａの下部には現像剤排出口３ａ１が設けられており、前記前側接続部材３の右部３ｂの上部にはトナー補給口３ｂ１が設けられている。前記トナー補給口３ｂ１は、補給された新しい現像剤が補給後すぐに排出されないように配置されている。
図３Ａ、図４において、前記現像ロールＲ０は、現像容器Ｖに固定支持された円柱状の磁石部材の一例としての磁石ロール１１と、前記磁石ロール１１の外周に回転可能に支持され且つ現像領域Ｑ２ｙで反重力方向に回転する円筒状の現像スリーブ１２とを有する従来公知の現像ロールＲ０が配置されている。
【００３２】
なお、実施例１の前記磁石ロール１１は、図３Ａに示すように、Ｎ極性の磁極Ｎ１，Ｎ２およびＳ極性の磁極Ｓ１〜Ｓ３の合計５つの磁極を有する。すなわち、前記磁石ロール１１は、前記現像領域Ｑ２ｙに対向する位置に配置された現像磁極Ｓ１を有する。また、前記現像磁極Ｓ１の現像スリーブ１２の回転方向上流側には、前記層厚規制部材ＳＫに対向して配置された層厚規制磁極の一例としてのトリミング磁極Ｎ２が配置されている。また、前記トリミング磁極Ｎ１の回転方向上流側には、下流側反発磁極Ｓ３が配置されており、前記下流側反発磁極Ｓ３の回転方向上流側には、同極の上流側反発磁極Ｓ２が配置されている。さらに、前記上流側反発磁極Ｓ２の回転方向上流側且つ前記現像磁極Ｓ１の回転方向下流側には、搬送磁極Ｎ２が配置されている。
【００３３】
なお、実施例１では、前記搬送磁極Ｎ２が、前記円弧壁２ｂ１に対向して配置されており、前記上流側反発磁極Ｓ２が、前記離隔壁２ｂ２の左側上端部、すなわち、前記円弧壁２ｂ１との境界側端部に対向して配置されている。
また、図３Ａに示すように、前記離隔壁２ｂ２の左側上端部と右側下方で隣接する位置には、前記上流側反発磁極Ｓ２から前記離隔壁２ｂ２側に向かう磁力線を発生させる磁性体１３が支持されている。なお、実施例１の前記磁性体１３は、強磁性体の一例としての鉄により構成されている。
【００３４】
前記第１主攪拌室６ａの現像剤は、前記磁石ロール１１の磁力によって前記現像スリーブ１２表面上に吸着、保持された状態で回転して、前記現像領域Ｑ２に搬送される。また、前記現像ロールＲ０の回転中心の一例としてのロール軸Ｒ０ａは、前記現像容器本体１の前面壁と後面壁によって回転自由に支持されており、前記ロール軸Ｒ０ａの後端には現像用歯車部材の一例としての現像用ギアＧ０が固定支持されている。前記現像容器本体１の前壁１ａ及び後壁１ｂの内壁には現像ロールＲ０側に突出し、且つ、現像ロールＲ０より径の大きい円柱状の前側漏出防止部材支持体の一例としての前側サイドシール支持部１ａ1および後側漏出防止部材支持体の一例としての後側サイドシール支持部１ｂ1が形成されている。また、図４Ｂに示すように、前記各サイドシール支持部１ａ１、１ｂ１の像保持体ＰＲｙ側には、前記各サイドシール支持部１ａ１、１ｂ１が像保持体ＰＲｙに接触しないように弧状の切除部１ａ２，１ｂ２が形成されている。
【００３５】
図３Ａ、図４において、前記第１攪拌室６および前記第２攪拌室７には、前記現像剤を攪拌しながら搬送する攪拌部材、第１搬送部材の一例としての第１攪拌部材Ｒ１と、攪拌部材、第２搬送部材の一例としての第２攪拌部材Ｒ２とが配置されている。実施例１の前記第１攪拌部材Ｒ１は、前記現像ロールＲ０の軸方向に伸びる第１回転軸Ｒ１ａと、前記第１回転軸Ｒ１ａの外周に固定された攪拌搬送羽根Ｒ１ｂと逆搬送羽根Ｒ１ｃとを有している。前記攪拌搬送羽根Ｒ１ｂは、現像剤を後側から前側に搬送するために前記後側流入部Ｅ２から前記前側流入部Ｅ１にかけて設けられている。前記逆搬送羽根Ｒ１ｃは、前記現像剤排出口３ａ1付近に設けられており、現像剤を前記攪拌搬送羽根Ｒ１ｂの搬送方向の逆方向に搬送することによって、現像剤を第１攪拌室６から第２攪拌室７に流入させている。前記第１回転軸Ｒ１ａは、前記前側接続部３の左部３ａの前面壁と前記現像容器本体１の後面壁によって回転自由に支持されており、第１回転軸Ｒ１ａの後端部には第１歯車部材の一例としての第１ギアＧ１が固定支持されている。
【００３６】
なお、実施例１では、図３Ａの１点鎖線に示すように、前記第１攪拌部材Ｒ１の回転中心の一例としての前記第１回転軸Ｒ１ａを通過する垂線Ｌ１が、前記現像ロールＲ０の回転中心の一例としての前記ロール軸Ｒ０ａと前記磁性体１３との間を通過するように予め設定されている。
また、実施例１の前記第２攪拌部材Ｒ２も、第２回転軸Ｒ２ａおよび攪拌搬送羽根Ｒ２ｂおよび逆搬送羽根Ｒ２ｃとを有している。前記攪拌搬送羽根Ｒ２ｂは、現像剤を前側から後側に搬送するために前記トナー補給口３ｂ１から前記後側流入部Ｅ２にかけて設けられている。前記逆搬送羽根Ｒ１ｃは、前記後側流入部Ｅ２の後端側に設けられており、現像剤を前記攪拌搬送羽根Ｒ２ｂの現像剤搬送方向の逆方向に搬送することによって、現像剤を第２攪拌室７から第１攪拌室６に流入させている。前記第２回転軸Ｒ２ａは、前側接続部３の右部３ｂの前面壁と現像容器本体１の後面壁によって回転自由に支持され、後端部に第２歯車部材の一例としての第２ギアＧ２が固定支持されている。
【００３７】
図３Ｂ、図４において、前記ロール軸Ｒ０ａの現像用ギアＧ０は、前記後壁１ｂに回転可能に支持された図３Ｂに示す前記第３歯車部材の一例としての第３ギアＧ３と噛み合っている。また、前記第３ギアＧ３は、第１回転軸Ｒ１ａの第１ギアＧ１と噛み合っており、第１ギアＧ１は、前記第２回転軸Ｒ２ａの第２ギアＧ２と噛み合っている。また、前記現像用ギアＧ０は、図示しない現像装置用モータの回転力が伝達されており、図３Ｂに示すように、前記現像装置用モータによって現像用ギアＧ０が矢印Ｙ０方向に回転すると、第１ギアＧ１は、前記現像用ギアＧ０と同方向である矢印Ｙ１方向に回転し、前記第２ギアＧ２および前記第３ギアＧ３は、前記現像用ギアＧ０と逆方向である矢印Ｙ２方向および矢印Ｙ３方向にそれぞれ回転する。
【００３８】
すなわち、前記各ギアＧ０〜Ｇ２と一体的に回転する前記現像ロールＲ０の現像スリーブ１２と、前記各攪拌部材Ｒ１，Ｒ２とについて、前記現像スリーブ１２と前記第１攪拌部材Ｒ１とは同方向に回転すると共に、前記各攪拌部材Ｒ１，Ｒ２は、互いに逆方向に回転する。したがって、前記第１攪拌部材Ｒ１及び第２攪拌部材Ｒ２の回転によって、前記第１攪拌室６及び第２攪拌室７の中の現像剤は、互いに逆方向に搬送され循環している。
また、図３の矢印Ｙ１方向で示すように、実施例１の前記第１攪拌部材Ｒ１は、前記回転軸Ｒ１ａから前記現像ロールＲ０側が、重力方向下方から上方に進む方向に回転する。
【００３９】
また、図３Ａにおいて、前記円筒状の前側サイドシール支持部材１ａ1には、可撓性を有する薄膜状、すなわち、シート状の前側漏出防止部材の一例としての前側サイドシール１６の上端縁及び下端縁が固定されている。前記前側サイドシール１６は、現像ロールＲ０の軸方向の外端部の外周面に沿って設けられており、現像ロールＲ０の外周面から離れて配置されている。前記前側サイドシール１６の下部は、前記上流側シールＪｓの内側に密着して配置されており、前記前側サイドシール１６の外側表面に上流側シールＪｓは、オーバーラップして配置されている。
また、前記前側サイドシール１６と同様に、前記後側サイドシール支持部材１ｂ1には、可撓性を有するシート状の後側漏出防止部材の一例としての後側サイドシール１７が固定されており、現像ロールＲ０の外周面に沿って外周面から離れて配置されている。
【００４０】
なお、現像器Ｇｙが現像位置から離れている場合には、各サイドシール１６，１７は、その弾性力、いわゆる、コシによって外方に膨らんだ状態となる。しかし、現像器Ｇｙが現像位置、即ち、現像ロールＲ０と像担持体ＰＲｙ表面との間隔が現像時の間隔に配置された場合には、前記サイドシール１６，１７の像担持体ＰＲｙ対向する部分が像担持体ＰＲｙに押圧されて前記切除部１ａ２，１ｂ２側に凹んだ状態になる。しかし、前記サイドシール１６，１７は、凹んだ状態においても、現像ロールＲ０の表面と接触しないように予め設定されている。
前記現像容器Ｖ、現像ロールＲ０、第１攪拌部材Ｒ１および第２攪拌部材Ｒ２等によって現像装置Ｇｙが構成されている。
【００４１】
（実施例１の作用）
前記構成を備えた実施例１の前記画像形成装置Ｕでは、画像形成動作、いわゆる、ジョブが実行される場合には、前記各現像剤カセットＫｙ〜Ｋｋ内に収容された現像剤が、前記現像装置Ｇｙ〜Ｇｋのトナーの消費に応じて、前記現像容器Ｖ内に補給される。
実施例１では、図４に示す、前記前側接続部材３のトナー補給口３ｂ１を介して、前記現像容器Ｖ内に補給された前記現像剤は、前記各攪拌部材Ｒ１，Ｒ２により、攪拌・搬送されながら前記循環攪拌室（６＋７＋９＋Ｅ１＋Ｅ２）内を循環する。
【００４２】
また、前記第２攪拌部材Ｒ２により、前記後側流入部Ｅ２を介して、前記第２攪拌室７から前記第１攪拌室６に流入した現像剤は、前記第１攪拌部材Ｒ１によって攪拌・搬送されながら摩擦帯電し、前記現像剤中のトナーと磁性キャリアとが静電的に吸着する。また、前記磁性キャリアの磁性により、トナーおよび磁性キャリアは、前記第１攪拌部材Ｒ１に隣接する前記磁石ロール１１の下流側反発磁極Ｓ３とトリミング磁極Ｎ２との間に発生する磁界によって引き寄せられ、前記現像スリーブ１２表面上に吸着、保持される。保持されたトナーは、前記現像スリーブ１２の回転により、図３に示す矢印Ｙ０方向に回転し、前記層厚規制部材ＳＫにより層厚が規制された後、前記現像領域Ｑ２ｙ〜Ｑ２ｋに搬送され、像保持体ＰＲｙ〜ＰＲｋ表面に形成された静電潜像を現像する。
【００４３】
前記現像領域Ｑ２ｙ〜Ｑ２ｋを通過した前記現像スリーブ１２表面上の残留現像剤は、前記現像磁極Ｓ１と前記搬送磁極Ｎ１との間の磁界、前記搬送磁極Ｎ１と前記上流側反発磁極Ｓ２との間の磁界によって、前記現像ロールＲ０表面上に保持されたまま搬送される。すなわち、前記残留現像剤は、前記円弧壁２ｂ１を介して、前記開口部８から前記離隔壁２ｂ２の左側上端部まで搬送される。
そして、前記上流側反発磁極Ｓ２と前記下流側反発磁極Ｓ３との間の領域で、前記残留現像剤が、前記現像ロールＲ０から剥離して前記第１攪拌部材Ｒ１に向かって落下する。
【００４４】
図５は実施例１の作用説明図であり、現像領域でトナーを使用した後の残留現像剤によって上流側反発磁極と磁性体との間に溜まりが生じた状態の説明図である。
ここで、実施例１では、図５に示すように、前記上流側反発磁極Ｓ２と対向する前記離隔壁２ｂ２には、前記磁性体１３が支持されており、前記上流側反発磁極Ｓ２と前記磁性体１３との間には、前記上流側反発磁極Ｓ２と前記磁性体１３とを結ぶ方向に磁力線が延びる磁界が発生している。よって、前記残留現像剤は、前記磁界により、前記磁力線に沿って現像剤が延びる状態、いわゆる、穂立ちの状態となって前記離隔壁２ｂ２側に引き寄せられるため、前記上流側反発磁極Ｓ２と前記磁性体１３との間に溜まり易くなっている。
【００４５】
この結果、例えば、気圧等の外部環境の変化によって前記現像容器Ｖ内の現像剤が舞い上がった場合には、前記現像剤が、前記離隔壁２ｂ２の左側上端部に溜まった残留現像剤により塞き止められ易くなっている。このため、前記現像剤が、前記離隔壁２ｂ２から前記円弧壁２ｂ１まで逆流して前記開口部８から噴き出すことが低減される。
また、実施例１では、前記磁石シール部材（３４）が前記取り込み極（Ｎ１）と対向する開口部近傍に配置された前記特許文献１に対して、前記磁性体１３が前記開口部８近傍の前記円弧壁２ｂ１より前記現像容器Ｖ内部に配置された前記離隔壁２ｂ２に支持されている。この結果、前記特許文献１に記載の技術に比べ、前記上流側反発磁極Ｓ２と前記磁性体１３との間の磁力線が前記現像容器Ｖの外方に回り込むことが低減され、現像剤が噴出したり飛散したりすることが低減されている。
したがって、実施例１の前記画像形成装置Ｕでは、前記現像容器Ｖから噴き出した現像剤により、前記各現像装置Ｇｙ〜Ｇｋ、前記各トナー像形成装置Ｕｙ〜Ｕｋ、前記画像形成装置Ｕ内や、前記記録シートＳ等が汚れることが低減されている。
【００４６】
また、実施例１では、前記磁性体１３に引き寄せられ、穂立ちの状態で溜まった残留現像剤は、後続の残留現像剤が前記上流側反発磁極Ｓ２に搬入されることにより、崩れて前記第１攪拌部材Ｒ１に向かって落下する。このとき、溜まった残留現像剤は、前記上流側反発磁極Ｓ２の吸着力が弱くなる前記離隔壁２ｂ２側、すなわち、穂立ちの先端側の方が落下し易くなっている。ここで、図３Ａ、図５の１点鎖線に示すように、前記第１回転軸Ｒ１ａを通過する前記垂線Ｌ１は、前記現像ロールＲ０のロール軸Ｒ０ａと前記磁性体１３との間を通過するように予め設定されている。このため、前記残留現像剤は、前記現像スリーブ１２表面上に吸着される前記下流側反発磁極Ｓ３が配置された前記第１回転軸Ｒ１ａの左方に比べ、前記第１回転軸Ｒ１ａの右方に落下し易くなっている。この結果、実施例１の前記画像形成装置Ｕでは、前記現像スリーブ１２表面上から剥離され落下した前記残留現像剤が、十分攪拌される前に、前記現像スリーブ１２表面上に再吸着されることが低減されている。
【００４７】
さらに、実施例１の前記第１攪拌部材Ｒ１では、図３の矢印Ｙ１方向で示すように、前記第１回転軸Ｒ１ａから前記現像ロールＲ０側が、重力方向下方から上方に進む方向に回転する。したがって、前記第１回転軸Ｒ１ａの右方に落下した前記残留現像剤は、前記第１回転軸Ｒ１ａの下方を通過して、前記第１回転軸Ｒ１ａの左方に搬送される。この結果、矢印Ｙ１方向の逆方向、すなわち、図３の矢印Ｙ２方向および矢印Ｙ３方向と同方向に前記第１攪拌部材Ｒ１が回転し、前記現像スリーブ１２表面上から剥離され落下した現像剤が前記第１回転軸Ｒ１ａの上方を通過して直ぐに前記下流側反発磁極Ｓ３の近傍に搬送される場合に比べ、実施例１の前記画像形成装置Ｕでは、前記第１攪拌部材Ｒ１により十分攪拌された後で、前記現像スリーブ１２表面上に再吸着され易くなっている。
【実施例２】
【００４８】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００４９】
（現像装置Ｇｙ〜Ｇｋの説明）
図６は実施例１の図３Ａに対応する本発明の実施例２の現像装置の拡大説明図である。
図６において、実施例２の現像装置Ｇｙ〜Ｇｋの現像容器Ｖは、実施例１の前記現像容器Ｖに比べ、現像ロールＲ０が、右方に配置されており、現像容器本体１′および現像容器カバー２′の形状が、前記現像ロールＲ０の位置に対応して、左右方向の長さが短くなっている。そして、実施例２では、図６の１点鎖線に示すように、前記仕切壁９を通過する垂線Ｌ２が、前記現像ロールＲ０のロール軸Ｒ０ａと前記磁性体１３との間を通過するように予め設定されている。
【００５０】
（実施例２の作用）
図７は実施例１の図５に対応する実施例２の作用説明図であり、現像領域でトナーを使用した後の残留現像剤によって上流側反発磁極と磁性体との間に溜まりが生じた状態の説明図である。
前記構成を備えた実施例２の前記画像形成装置Ｕでは、図７に示すように、前記上流側反発磁極Ｓ２と前記磁性体１３との間には、前記上流側反発磁極Ｓ２と前記磁性体１３とを結ぶ方向に磁力線が延びる磁界が発生している。よって、前記上流側反発磁極Ｓ２まで搬送された残留現像剤は、前記磁界により、前記現像剤が穂立ちの状態となって、前記上流側反発磁極Ｓ２と前記磁性体１３との間に溜まり易くなっている。
【００５１】
ここで、実施例２では、前記磁性体１３に引き寄せられ、穂立ちの状態で溜まった残留現像剤は、後続の残留現像剤が前記上流側反発磁極Ｓ２に搬入されることにより、崩れて前記循環攪拌室（６＋７＋９＋Ｅ１＋Ｅ２）に向かって落下する。このとき、溜まった残留現像剤は、前記上流側反発磁極Ｓ２の吸着力が弱くなる前記離隔壁２ｂ２側、すなわち、穂立ちの先端側の方が落下し易くなっている。ここで、図６、図７の１点鎖線に示すように、前記仕切壁９を通過する前記垂線Ｌ２は、前記現像ロールＲ０のロール軸Ｒ０ａと前記磁性体１３との間を通過するように予め設定されている。このため、前記残留現像剤は、前記下流側反発磁極Ｓ３が配置された前記第１攪拌室６に比べ、前記第２攪拌室７に落下し易くなっている。
【００５２】
この結果、実施例２の前記画像形成装置Ｕでは、前記現像スリーブ１２表面上から剥離され落下した前記残留現像剤は、前記第２攪拌室７および前記第１攪拌室６を搬送され、十分攪拌されてから前記現像スリーブ１２表面上に再吸着され易く、前記第１攪拌室６に落下して、十分に攪拌される前に前記現像スリーブ１２表面上に再吸着されることが低減されている。
その他、実施例２の前記画像形成装置Ｕは、実施例１の前記画像形成装置Ｕと同様の作用効果を奏する。
【００５３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）本発明は、プリンタに限定されず、複写機、ＦＡＸ、複合機等の画像形成装置に適用可能である。また、モノクロの画像形成装置に限定されず、カラーの画像形成装置にも適用可能である。
【００５４】
（Ｈ02）前記実施例において、前記磁石ロール１１の磁極Ｎ１，Ｎ２，Ｓ１〜Ｓ３は、合計５つで構成されているが、これに限定されず、４つ以下、または、６つ以上で構成することも可能である。
（Ｈ03）前記実施例において、前記磁性体１３は、鉄により構成されているが、これに限定されず、例えば、鉄以外の強磁性体であるニッケル等を使用したり、前記上流側反発磁極Ｓ２と異なる磁極、すなわち、Ｎ極を有する常磁性体、いわゆる、磁石によって構成したりすることも可能である。
（Ｈ04）前記実施例において、前記磁性体１３は、前記離隔壁２ｂ２に支持されているが、これに限定されず、例えば、前記離隔壁２ｂ２自体を磁性体で構成した場合でも、本発明の作用効果を奏することが可能である。
【００５５】
（Ｈ05）前記実施例において、現像剤がトナーと磁性キャリアを有する２成分現像剤で構成され、現像剤収容室が前記２成分現像剤が循環する前記循環攪拌室（６＋７＋９＋Ｅ１＋Ｅ２）により構成されているが、これに限定されず、例えば、前記循環攪拌室（６＋７＋９＋Ｅ１＋Ｅ２）の仕切壁９と各流入部Ｅ１，Ｅ２とを省略して現像剤が循環しないようにすることも可能である。この場合、前記各攪拌部材Ｒ１，Ｒ２も、いわゆる、オーガ−に限定されず、例えば、搬送羽根がフィルムにより構成された、いわゆる、パドル等で構成することも可能である。また、この場合、前記第２攪拌室７および前記第２攪拌部材Ｒ２を省略して、前記第１攪拌室６内に搬入されたトナーを、前記第１攪拌部材Ｒ１が前記現像ロールＲ０に供給する構成とすることも可能である。さらに、前記現像剤も、２成分現像剤に限定されず、１成分現像剤により構成しても本発明の作用効果を奏することが可能である。
【図面の簡単な説明】
【００５６】
【図１】図１は本発明の実施例１の画像形成装置の全体説明図である。
【図２】図２は本発明の実施例１の像保持体ユニットの要部拡大図である。
【図３】図３は本発明の実施例１の現像装置の拡大説明図であり、図３Ａは現像装置内部の拡大断面図であり、図３Ｂは現像装置外部のギアの噛み合いについての拡大断面図である。
【図４】図４は本発明の実施例１の現像装置の正断面説明図であり、図４Ａは図３ＡのＩＶＡ−ＩＶＡ線断面図、図４Ｂは図４ＡのＩＶＢ−ＩＶＢ線断面図である。
【図５】図５は実施例１の作用説明図であり、現像領域でトナーを使用した後の残留現像剤によって上流側反発磁極と磁性体との間に溜まりが生じた状態の説明図である。
【図６】図６は実施例１の図３Ａに対応する本発明の実施例２の現像装置の拡大説明図である。
【図７】図７は実施例１の図５に対応する実施例２の作用説明図であり、現像領域でトナーを使用した後の残留現像剤によって上流側反発磁極と磁性体との間に溜まりが生じた状態の説明図である。
【符号の説明】
【００５７】
２ｂ１…円弧壁、２ｂ２…離間壁、４…保持体収容部、（６＋７＋９＋Ｅ１＋Ｅ２）…現像剤収容室、６…攪拌部材収容室、第１搬送部材収容部、７…第２搬送部材収容部、８…開口部、９…仕切壁、１１…磁石部材、１２…円筒部材、１３…磁性体、Ｅ１，Ｅ２…流入部、Ｆ…定着装置、Ｇｙ〜Ｇｋ…現像装置、Ｌ１，Ｌ２…垂線、Ｌ１…攪拌部材の回転中心を通過する垂線、Ｌ２…仕切壁を通過する垂線、ＰＲｙ〜ＰＲｋ…像保持体、Ｑ２ｙ〜Ｑ２ｋ…現像領域、Ｒ０…現像剤保持体、Ｒ０ａ…現像剤保持体の回転中心、Ｒ１…攪拌部材、第１搬送部材、Ｒ１ａ…攪拌部材の回転中心、第１搬送部材の回転中心、Ｒ２…第２搬送部材、Ｓ…媒体、Ｓ２…磁極、（Ｔ１ｙ〜Ｔ１ｋ，Ｔ２）…転写器、Ｕ…画像形成装置、Ｕｙ〜Ｕｋ…像保持体ユニット、Ｖ…現像剤収容容器、Ｙ１…重力方向下方から上方に進む方向。
【図１】
2010113210.tif 000003
【図２】
2010113210.tif 000004
【図３】
2010113210.tif 000005
【図４】
2010113210.tif 000006
【図５】
2010113210.tif 000007
【図６】
2010113210.tif 000008
【図７】
2010113210.tif 000009